(57)【要約】【課題】挿抜される接続対象物である電子部品を装着した状態において衝撃荷重が加わった場合でも、接続対象物の挿抜を好適に検出すること。【解決手段】挿入口１１１を介してメモリカードが内部の収容部に挿抜自在に装着されるコネクタ本体１１０に、弾性変形して揺動自在に設けられ、収容部に挿入されるメモリカードの押圧により揺動する可動端子１６０と、コネクタ本体１１０に可動端子１６０から離間して設けられ、揺動した可動端子１６０の押圧により接触してメモリカードの挿脱が検出される固定端子１５０とを有する。可動端子１６０及び固定端子１５０の接触部分である可動接点部１６４及び固定接点部１５４には、それぞれ互いに嵌合して、押圧方向と直交する方向への移動を規制するリブ１５６及び溝部が形成されている。【選択図】図１
2010073369.tif 000002
【特許請求の範囲】
【請求項１】
挿入口を介して電子部品が内部の収容部に挿抜自在に装着されるコネクタ本体と、
前記コネクタ本体に設けられ、前記収容部に挿入される前記電子部品の押圧により弾性変形して揺動する可動端子と、
前記コネクタ本体に前記可動端子から離間して設けられ、揺動した前記可動端子が接触して前記電子部品の前記収容部への挿入又は前記収容部からの抜脱を検出可能な固定端子と、
を有し、
前記可動端子及び固定端子の接触部分の一方には嵌合部が形成され、他方には前記可動端子が前記固定端子を押圧した際に前記嵌合部と嵌合して、前記可動端子の揺動軸方向及び前記押圧方向の双方と直交する方向への移動を前記嵌合部とともに互いに規制する被嵌合部が形成されている、
コネクタ。
【請求項２】
前記嵌合部は、前記可動端子及び固定端子の接触部分の前記他方側に突出する凸状部であり、
前記被嵌合部は、前記一方側に開口して前記凸状部に嵌合する凹状部である、
請求項１記載のコネクタ。
【請求項３】
前記嵌合部及び被嵌合部は、前記可動端子が揺動することにより互いに摺動しつつ嵌合し、
前記凹状部である前記被嵌合部は摺動方向に延在する溝である、
請求項２記載のコネクタ。
【請求項４】
前記電子部品はメモリカードである、
請求項１記載のコネクタ。
【請求項５】
前記可動端子は、一端側で前記コネクタ本体に固定され、他端部側を揺動自在とした可動アームと、可動アームから前記収容部に突出して配置され、挿入される前記電子部品に押圧される押圧部と、前記可動アームの他端部側に設けられ、前記電子部品が前記押圧部を押圧することにより変位して前記固定端子の固定接点部に当接する可動接点部とを有し、
前記固定端子は、前記コネクタ本体に、前記可動端子の延在方向に沿って、且つ前記可動端子に向かって突出して取り付けられ、前記固定端子の先端部は、前記固定接点部として前記可動接点部の変位方向に離間する位置に配置されている請求項１記載のコネクタ。
【請求項６】
前記可動端子は前記コネクタ本体に、前記収容部から離間する方向に揺動して、前記固定端子を押圧する、
請求項１記載のコネクタ。
【請求項７】
挿入口を介して電子部品が内部に装着されるコネクタのコネクタ本体に設けられ、前記コネクタ本体内に挿入される前記電子部品の押圧により弾性変形して揺動する可動端子と、
前記コネクタ本体に前記可動端子から離間して設けられ、揺動した前記可動端子により押圧されて前記可動端子に接触する固定端子と、
を備え、前記可動端子及び固定端子の接触により前記電子部品の前記コネクタ本体への挿入又は前記コネクタ本体からの抜脱を検出する検出スイッチであって、
前記可動端子及び固定端子の接触部分の一方には嵌合部が形成され、他方には前記可動端子が前記固定端子を押圧した際に前記嵌合部と嵌合して、前記可動端子の揺動軸方向及び前記押圧方向の双方と直交する方向への移動を前記嵌合部とともに互いに規制する被嵌合部が形成されている、
検出スイッチ。
【発明の詳細な説明】
【技術分野】
【０００１】
本発明は、挿入により接続される接続対象物を検出する検出スイッチを有するコネクタに関する。
【背景技術】
【０００２】
従来からデジタルカメラなどのデータの記憶媒体として、樹脂製の薄板状の筐体を有するメモリカードが広く用いられており、種々の種類や規格の小型のメモリカードが知られている。最近では、携帯電話用のデータの記憶媒体としてもメモリカードが用いられており、非常に小型のメモリカードも市販されている。
【０００３】
これらのメモリカードを記憶媒体とするデジタルカメラや携帯電話などの電子機器には、メモリカードの大きさに対応したメモリカード用のコネクタ（コネクタ）が設けられ、メモリカードは、メモリカードコネクタに挿入することで電子機器に装着される。
【０００４】
このようなメモリカードコネクタには、例えば、特許文献１に示すように、コネクタ本体に挿入されるメモリカードが接点部分を接近方向及び離間方向に移動させることにより、メモリカード自体の状態を電気的に検出する検出スイッチが設けられている。検出スイッチとしては、カード挿入を検出するカード検出スイッチがある。
【０００５】
図１２は、従来のメモリカードコネクタにメモリカードが挿入されたことを検出するカード検出スイッチの構成を示す図である。
【０００６】
図１２に示す従来のカード検出スイッチ１は、コネクタ本体３において、装着されるメモリカード２の挿入方向に沿って延在する一方の案内側壁４側に設けられている。
【０００７】
カード検出スイッチ１は、コネクタ本体３の案内側壁４に沿って配置された固定板５と、固定板５にコネクタ本体の横幅方向で離間して配置された細長の可動板６とから構成されている。
【０００８】
固定板５は、コネクタ本体３の奥側から挿入口側に向かって突出して配置され、その突出端部で、可動板６の一端部と、コネクタ本体３の横幅方向で対向している。
【０００９】
可動板６は、挿入経路の側方を仕切る案内側壁４に沿って挿入口から挿入方向に向かって延在するように配置され、固定板５の突端部と対向する先端部は揺動自在となっている。この可動板６の先端部には、案内側壁４側から挿入経路内に突出する折曲部７が設けられている。可動板６の折曲部７は、メモリカード２が装着位置に在るときは、メモリカード２の側面によって押されて、折曲部７の基端の接点部が固定板５に当接する。これにより、可動板６と固定板５は電気的に導通状態（クローズ）となる。
【００１０】
このように従来のメモリカードコネクタでは、挿入方向に沿う一方の案内側壁４側において、初期状態では、固定板５と可動板６は電気的に遮断状態（オープン）である。これに対して、メモリカード２が挿入されると、可動板６が側方に撓むことで固定板５に接触し、固定板５と可動板６は電気的に導通状態となる。また、メモリカード２をコネクタ本体３から抜去すると、可動板６の折曲部７は復帰して可動板６と固定板５は電気的に遮断状態となる。このようにして、メモリカード２の挿入を検出している。なお、これら可動板６と固定板５の終端は、コネクタ本体３が実装される図示しないプリント基板のカード検出回路に接続されている。
【特許文献１】特開２００３−２２８７０号公報
【発明の開示】
【発明が解決しようとする課題】
【００１１】
従来のコネクタの検出スイッチでは、接続対象であるカードが装着された状態では、メモリカードの挿入により可動板６が固定板５側に揺動して固定板５を押圧して導通した状態となる。
【００１２】
このため、カードを装着した状態、つまり、可動板６が固定板５を押圧している状態のコネクタに、コネクタ自体の落下等によって衝撃荷重が加わる場合、可動板６が更に押圧方向に移動して固定板５を乗り越えて、固定板５に後ろ合わせで接触した状態となる恐れがある。これにより、カードを抜き去った後、可動板が固定板から離間した位置に戻らず、カードの挿抜の検出ができなくなるという問題がある。
【００１３】
本発明はかかる点に鑑みてなされたものであり、挿抜される接続対象物である電子部品を装着した状態において衝撃荷重が加わった場合でも、接続対象物の挿抜を好適に検出できるコネクタ及び検出スイッチを提供することを目的とする。
【課題を解決するための手段】
【００１４】
本発明のコネクタは、挿入口を介して電子部品が内部の収容部に挿抜自在に装着されるコネクタ本体と、前記コネクタ本体に設けられ、前記収容部に挿入される前記電子部品の押圧により弾性変形して揺動する可動端子と、前記コネクタ本体に前記可動端子から離間して設けられ、揺動した前記可動端子が接触して前記電子部品の前記収容部への挿入又は前記収容部からの抜脱を検出可能な固定端子と、を有し、前記可動端子及び固定端子の接触部分の一方には嵌合部が形成され、他方には前記可動端子が前記固定端子を押圧した際に前記嵌合部と嵌合して、前記可動端子の揺動軸方向及び前記押圧方向の双方と直交する方向への移動を前記嵌合部とともに互いに規制する被嵌合部が形成されている構成を採る。
【００１５】
本発明の挿抜検出スイッチは、挿入口を介して電子部品が内部に装着されるコネクタのコネクタ本体に設けられ、前記コネクタ本体内に挿入される前記電子部品の押圧により弾性変形して揺動する可動端子と、前記コネクタ本体に前記可動端子から離間して設けられ、揺動した前記可動端子により押圧されて前記可動端子に接触する固定端子と、を備え、前記可動端子及び固定端子の接触により前記電子部品の前記コネクタ本体への挿入又は前記コネクタ本体からの抜脱を検出する検出スイッチであって、前記可動端子及び固定端子の接触部分の一方には嵌合部が形成され、他方には前記可動端子が前記固定端子を押圧した際に前記嵌合部と嵌合して、前記可動端子の揺動軸方向及び前記押圧方向の双方と直交する方向への移動を前記嵌合部とともに互いに規制する被嵌合部が形成されている構成を採る。
【発明の効果】
【００１６】
本発明によれば、挿抜される接続対象物である電子部品を装着した状態において衝撃荷重が加わった場合でも、接続対象物の挿抜を好適に検出できる。
【発明を実施するための最良の形態】
【００１７】
以下、本発明の実施の形態について、図面を参照して詳細に説明する。
【００１８】
図１は本発明の一実施の形態に係るコネクタの平面図、図２は同コネクタの左側面図、図３は同コネクタの右側面図、図４は同コネクタの正面図、図５は同コネクタの背面図、図６は同コネクタの底面図である。
【００１９】
図１〜図６に示すコネクタ１００は、挿入により接続される接続対象物をメモリカード２０としたメモリカードコネクタである。なお、コネクタ１００は、挿入される接続対象である接続相手コネクタなどを含む電子部品と、実装される基板とを電気的に接続する構成であれば、どのような接続対象物に対して用いられるコネクタとしてもよい。
【００２０】
また、メモリカード２０（図９〜図１１参照）は、自由にデータの読み書きが行えるものであるが、書込が自由にできないものであってもよい。メモリカードとしては、ＰＣカード、コンパクトフラッシュ（登録商標）カード、スマートメディア、ＳＤカード（Secure Digital memory card）（登録商標）、メモリースティック（登録商標）等が挙げられる。本実施の形態のコネクタは、幅１１ｍｍ、長さ１５ｍｍ、厚さ１．０ｍｍ、重量約０．４ｇ、動作電圧２．７−３．６Ｖ、端子数８ピンのメモリカードであるｍｉｃｒｏＳＤ（登録商標）用コネクタとしており、書き込み防止スイッチは搭載していないが、書き込み防止スイッチを搭載した構成としてもよい。
【００２１】
コネクタ１００は、一方の面側に挿入口１１１を備える矩形薄板状をなすコネクタ本体１１０と、コネクタ本体１１０に配設され、コネクタ本体１１０内に挿入されるメモリカード２０のパットに電気的に接続するコンタクト（図４〜図６参照）１２０と、メモリカード２０の装着を検出する検出スイッチ（図１及び図２参照）１３０とを有する。
【００２２】
コネクタ本体１１０は、矩形状の底面部１１２ａ（図４〜図６参照）の両側辺部から垂直に両側壁部１１２ｂ、１１２ｃ（図４及び図５参照）が立ち上がり、且つ、絶縁部材からなるハウジング１１２（図４参照）に、上方から金属製のシールドカバー１１３（図４参照）を被せて形成されている。
【００２３】
なお、コネクタ本体１１０では、両側壁部１１２ｂ、１１２ｃはメモリカード２０を収容する収容部１１０ａ（図４及び図５参照）を両側方からそれぞれ仕切っている。両側壁部のうち一方（ここでは右側壁部１１２ｃ）にイジェクト機構が配設され、他方（ここでは、左側壁部１１２ｂ）に検出スイッチ１３０が配設されている。また、コネクタ本体１１０では、弾性変形するコンタクト１２０が底面部１１２ａから収容部１１０ａ内に突出して配設されている。ここではコンタクト１２０はハウジング１１２にインサート成形によって設けられ、コネクタ自体の薄型化が図られている。
【００２４】
イジェクト機構は、プッシュプッシュ式の周知の機構であり、挿入方向に移動自在に設けられ、挿入されるメモリカード２０により押圧されてハウジング底面上を挿入方向に移動するスライダ（図１及び図６参照）１４１を有する。スライダ１４１は、後側壁部１１２ｄ（図６参照）との間に介設されたコイルスプリング（図１及び図６参照）１４２によってメモリカードの挿入口１１１側に向けて付勢されている。このスライダ１４１に追従して移動するロックピン１４３（図９参照）を介して、スライダ１４１を挿入完了位置でロックするハートカム溝部１４４（図１参照）に連結されている。
【００２５】
このイジェクト機構によって、メモリカードは、コネクタ１００に完全に挿入された挿入完了位置、つまり、メモリカードに押圧されるスライダ１４１によってロックピン１４３がハートカム溝部１４４の挿入完了位置１４４ａ（図１参照）でロックされた状態の位置で保持される。また、メモリカードは、挿入完了位置１４４ａの手前の挿入位置で軽く保持するためのハーフロック位置、つまり、収容部１１０ａ内に挿入されたメモリカードが挿入口側に位置するスライダ１４１に当接した状態の位置との２箇所の位置で保持される。
【００２６】
図１及び図２に示す検出スイッチ１３０は、左側壁部１１２ｂの後端側に設けられ、コネクタ本体１１０に固定される固定端子１５０と、挿入口１１１を介してコネクタ本体１１０内に侵入するメモリカードの押圧により可動して固定端子１５０に接触して導通する可動端子１６０とを有する。これら固定端子１５０及び可動端子１６０の導通を用いて検出スイッチ１３０ではメモリカードの装着、非装着が検出される。ここでは、固定端子１５０及び可動端子１６０の導通によってメモリカードの装着を検出し、図示しない電子回路にその旨を示す信号を出力するものとする。
【００２７】
固定端子１５０及び可動端子１６０は、それぞれ導電性を有する材料、ここでは金属板を加工して形成されている。
【００２８】
固定端子１５０及び可動端子１６０は、それぞれ可撓性を有する帯状をなし、両者ともコネクタ本体１１０に、挿入方向に沿って配置されている。固定端子１５０及び可動端子１６０では、互いの先端部は、左側壁部１１２ｂの後端側を切り欠いて形成された切り欠き部１１２ｆ内に配置され、横方向で対向している。
【００２９】
具体的には、固定端子１５０は、図１及び図２に示すように、左側壁部１１２ｂの後端部１１２ｅに、左側壁部１１２ｂの切り欠き部１１２ｆ内に延び出るように、圧入などにより取り付けられている。固定端子１５０の先端部には、後端部１１２ｅから延び出る延出部１５２よりも幅広の固定接点部１５４が設けられている。
【００３０】
固定接点部１５４の内側、つまり、収容部１１０ａ側には、固定接点部１５４に対向して配置され、コネクタ本体１１０の横幅方向（詳細には、固定接点部１５４に接触する方向及び離間する方向）に移動自在な可動端子１６０の可動接点部１６４が配置されている。これら可動接点部１６４と固定接点部１５４とで可動端子１６０及び固定端子１５０の接触部分を構成している。
【００３１】
可動端子１６０は、コネクタ本体１１０の左側壁部１１２ｂに圧入などによって取り付けられ、切り欠き部１１２ｆ内に、切り欠き部１１２ｆよりも挿入口１１１側から突出して配置されている。
【００３２】
可動端子１６０は、挿入口１１１側から切り欠き部１１２ｆ内に突出して設けられ、弾性変形してコネクタ本体１１０の横幅方向（図７で示す両矢印Ａ方向）に揺動自在な可動アーム１６２と、可動アーム１６２から収容部１１０ａ側に突出して設けられ、収容部１１０ａ内に挿入されるメモリカードに当接して横幅方向（図７で示す両矢印Ａ方向）において固定端子１５０側に押圧されるカード当接部１６５とを有する。
【００３３】
カード当接部１６５は、コネクタ本体１１０の横幅方向に表裏面を向けた細長板状の金属板において可動アーム１６２を構成する部位の先端部を折曲して、頂点が収容部１１０ａ側に位置するＶ字状に形成されている。
【００３４】
可動アーム１６２の先端からＶ字状に収容部１１０ａ側に突出するカード当接部１６５との境界部分において固定接点部１５４と対向する部位を可動接点部１６４としている。
【００３５】
図７は、検出スイッチ１３０の要部を示す斜視図である。
【００３６】
図７に示すように、固定端子１５０及び可動端子１６０のそれぞれが有する固定接点部１５４及び可動接点部１６４には、嵌合部及び被嵌合部が設けられている。嵌合部及び被嵌合部は、可動端子１６０が固定端子１５０側に移動して当接した際に嵌合して、互いの当接方向と直交する方向への移動を規制する。
【００３７】
図８は挿入口１１１側からみた検出スイッチ１３０の接点部分の部分端面図である。
【００３８】
嵌合部及び被嵌合部は、図７及び図８に示すように、固定接点部１５４及び可動接点部１６４のそれぞれに、互いに対向する方向に形成された凸状のリブ（リブ１５６）と、凹状に形成された溝又はスリット（溝部１６６）である。
【００３９】
ここでは、嵌合部及び被嵌合部は、固定接点部１５４に設けられ、可動接点部１６４側に突出するリブ１５６と、可動接点部１６４において、固定接点部１５４に対向する部分で開口するように設けられ、前記リブ１５６と嵌合する溝部１６６と、により形成されている。
【００４０】
本実施の形態では、リブ１５６及び溝部１６６は、固定端子１５０及び可動端子１６０において固定接点部１５４及び可動接点部１６４となる部位に絞り加工によって形成している。具体的には、図８に示すように、リブ１５６は、固定接点部１５４において可動接点部１６４と対向する面側から突出して形成されている。一方、溝部１６６は、可動接点部１６４において固定接点部１５４と対向する面側で窪むように形成され、対向する面の背面側では溝部１６６の底部を形成する部位が突条に突出している。この突条は、可動端子１６０において可動アーム１６２とカード当接部１６５とが交差して交わる部分の補強リブとして機能し、可動端子１６０自体の強度向上を図っている。
【００４１】
固定接点部１５４及び可動接点部１６４のリブ１５６及び溝部１６６は、可動接点部１６４が移動して固定接点部１５４及び可動接点部１６４が当接した際に、溝部１６６内に入り込むリブ１５６が、溝部１６６において対向する両内壁面の２点Ｃ１、Ｃ２で接触する（図８に想像線Ｂで示す）。
【００４２】
この溝部１６６は可動接点部１６４においてリブ１５６が摺動する部位である可動アーム１６２からカード当接部１６５の基端部側に渡って延在し、カード当接部１６５の基端部側で開口するように設けられている。
【００４３】
次に、本実施の形態のコネクタ１００における検出スイッチ１３０の動作を説明する。
【００４４】
図１〜図６に示すコネクタ１００に挿入口１１１からメモリカード２０を挿入する。
【００４５】
図９は、メモリカード２０が装着されたコネクタ１００を示す図であり、図１０は、メモリカード２０が装着されたコネクタ１００の検出スイッチ１３０を示す要部斜視図、図１１は同検出スイッチ１３０の要部部分断面図である。なお、図９のコネクタ１００では、検出スイッチ１３０における固定端子１５０及び可動端子１６０を断面で示す。
【００４６】
コネクタ１００にメモリカード２０を挿入すると、メモリカード２０によりスライダ１４１が押圧されてコネクタ本体１１０の奥側に移動し、ロックピン１４３がハートカム溝部１４４の挿入完了位置１４４ａでロックされ、メモリカード２０は装着状態の位置で保持される。この動作に伴い、検出スイッチ１３０では、挿入されるメモリカード２０によって、可動端子１６０のカード当接部１６５が挿入方向に押圧される。挿入方向に押圧されるカード当接部１６５の変位によって、可動アーム１６２は弾性変形し、挿入口１１１側の基端部を中心に変位し、先端部のカード当接部１６５は、収容部１１０ａから離間する方向（固定端子１５０に向かう方向）に移動する。これに伴い、可動接点部１６４は、固定接点部１５４側に移動して、固定接点部１５４を押圧する。
【００４７】
可動接点部１６４が固定接点部１５４を押圧する際に、可動接点部１６４の溝部１６６内に固定接点部１５４のリブ１５６が入り込み、可動接点部１６４は、更に固定端子１５０側に移動するように移動していく。これに伴い、リブ１５６は溝部１６６内を可動端子１６０の先端側に向かって長手方向に摺動する。そして、図１０及び図１１に示すように所定位置、つまり、メモリカード２０が装着された位置で、リブ１５６と溝部１６６とが接触した状態で保持される。
【００４８】
このとき、溝部１６６は、図８の想像線Ｂで示すように、リブ１５６と２点Ｃ１、Ｃ２で点接触した状態で保持される。
【００４９】
このように本実施の形態のコネクタ１００では、可動端子１６０の先端側が固定端子１５０側に移動して、可動接点部１６４が固定接点部１５４に当接し、固定接点部１５４を収容部１１０ａから離間する方向に押圧する際に、リブ１５６が溝部１６６内に入り溝部１６６内を摺動しつつ移動し、所定位置で接触した状態で維持される。
【００５０】
このように検出スイッチ１３０では、固定接点部１５４及び可動接点部１６４とは、リブ１５６と溝部１６６とが嵌合することによって、固定端子１５０及び可動端子１６０が相対的に接触方向とは直交する方向へ移動することを規制する。
【００５１】
よって、検出スイッチ１３０の導通状態、つまり、メモリカード２０を装着した状態のコネクタ１００に、コネクタ１００自体の落下等によって衝撃荷重が加わる場合でも、固定端子１５０に押し付けられている可動端子１６０が、固定端子１５０を乗り越えて、押し付け方向つまり、揺動方向に移動することがない。つまり、可動端子１６０の可動接点部１６４と、固定端子１５０の固定接点部１５４とが後ろ合わせの位置に移動することがない。これにより、衝撃加重が加えられたコネクタ１００からカードを抜き去った後でも、可動端子１６０は固定端子１５０から離間した初期位置に戻り、カードの挿抜を好適に検出することができる。
【００５２】
また、固定接点部１５４と可動接点部１６４とが後ろ合わせの位置に移動すると、薄型化が図られたコネクタでは、他の配線を形成する端子に接触する可能性があるが、本実施の形態では、これを回避することができる。
【００５３】
また、検出スイッチ１３０では、固定接点部１５４及び可動接点部１６４が摺動により接触して、固定端子１５０及び可動端子１６０が導通する。このため、固定接点部１５４及び可動接点部１６４の間に外部から侵入するゴミやカード当接部１６５に接触するメモリカードの削りカス等が入る場合でも、ゴミ及びカスを除去して安定した接触状態を維持することができる。
【００５４】
また、検出スイッチ１３０において接触により導通する固定端子１５０及び可動端子１６０のスパンが長い場合、これら固定端子１５０及び可動端子１６０をハウジングに圧入して取り付ける際には、圧入のバラツキによって高さ方向、つまり、コネクタ本体１１０の厚み方向の接点位置にバラツキが生じる可能性がある。
【００５５】
しかし、本実施の形態では、固定端子１５０と可動端子１６０とが当接する部位に、互いに嵌合するリブ１５６と溝部１６６とを設けている。このため、固定端子１５０及び可動端子１６０が、コネクタ本体１１０に、厚み方向の接点位置に多少のバラツキが生じる位置で取り付けられた場合でも、固定接点部１５４に押圧される可動接点部１６４は、溝部１６６内にリブ１５６を案内させて接触させることができ、互いの接触部分を所定位置に規制して接点部分のバラツキを抑制することができる。
【００５６】
本実施の形態では、コネクタ１００を、挿入される電子部品をメモリカードとしたカードコネクタ１００として説明するが、これに限らない。コネクタ１００は、挿入される電子部品と、実装される基板とを電気的に接続する構成であれば、どのような電子部品に対して用いられるコネクタとしてもよい。
【００５７】
なお、上記本発明は、本発明の精神を逸脱しない限り、種々の改変をなすことができ、そして本発明が該改変させたものに及ぶことは当然である。
【産業上の利用可能性】
【００５８】
本発明に係るコネクタは、挿抜される接続対象物である電子部品を装着した状態において衝撃荷重が加わった場合でも、接続対象物の挿抜を好適に検出できる効果を有し、装着される電子部品の挿抜を好適に検出し、メモリカードを装着するメモリカードコネクタとして有用である。
【図面の簡単な説明】
【００５９】
【図１】本発明の一実施の形態に係るコネクタの平面図
【図２】同コネクタの左側面図
【図３】同コネクタの右側面図
【図４】同コネクタの正面図
【図５】同コネクタの背面図
【図６】同コネクタの底面図
【図７】検出スイッチの要部を示す斜視図
【図８】挿入口側からみた検出スイッチの接点部分の部分端面図
【図９】メモリカードが装着されたコネクタを示す図
【図１０】メモリカードが装着されたコネクタの検出スイッチを示す要部斜視図
【図１１】同検出スイッチの要部部分断面図
【図１２】従来のメモリカードコネクタにおけるメモリカード挿入を検出するカード検出スイッチの構成を示す図
【符号の説明】
【００６０】
２０  メモリカード
１００  コネクタ
１１０  コネクタ本体
１１１  挿入口
１３０  検出スイッチ
１５０  固定端子
１５２  延出部
１５４  固定接点部
１５６  リブ
１６０  可動端子
１６２  可動アーム
１６４  可動接点部
１６５  カード当接部
１６６  溝部
１１０ａ  収容部
１１２ａ  底面部
１１２ｂ  左側壁部
１１２ｃ  右側壁部
１１２ｄ  後側壁部
１１２ｅ  後端部
１１２ｆ  切り欠き部
【図１】
2010073369.tif 000003
【図２】
2010073369.tif 000004
【図３】
2010073369.tif 000005
【図４】
2010073369.tif 000006
【図５】
2010073369.tif 000007
【図６】
2010073369.tif 000008
【図７】
2010073369.tif 000009
【図８】
2010073369.tif 000010
【図９】
2010073369.tif 000011
【図１０】
2010073369.tif 000012
【図１１】
2010073369.tif 000013
【図１２】
2010073369.tif 000014